(57)【要約】ユニークにセルを、或いはもっと一般的には無線アクセスネットワーク内でのアクセスポイントを識別するユニバーサル識別システムが開示される。そのユニバーサル識別システムは、アクセスポイントの識別のために、全ドメインシステム（ＦＱＤＮ）タイプのドメイン名システム（ＤＮＳ）名を用いる。そのシステムは１つ以上のアクセスネットワークを含み、その各々がそれに関連した１つ以上のアクセスポイントをもつ。各アクセスポイントにはＦＱＤＮタイプのユニークなＤＮＳ名が割当てられている。ＤＮＳサーバはＦＱＤＮ名ストリングと経路選択のためにＤＮＳ名についての関連したインターネットプロトコル（ＩＰ）アドレスへの変換とを格納する。ＤＮＳ  ＦＱＤＮ識別子は、アクセスネットワーク間で、ロケーション更新やハンドオフのような移動手順を実行する際に用いるために同報される。
2005531174.tif 000002
【特許請求の範囲】
【請求項１】
ユニバーサル識別システムを実現する無線通信システムであって、
夫々が、全ドメインシステムタイプの各ドメイン名システム名を割当てられた１つ以上のアクセスポイントを有したアクセスネットワークと、
前記ドメイン名システム名を同報することが可能な前記アクセスネットワーク内の基地局とを有し、
前記ドメイン名システム名は前記基地局のカバレッジ領域の少なくとも一部により前記アクセスネットワークと関係付けられる前記アクセスポイントの少なくとも１つと関係付けられることを特徴とする無線通信システム。
【請求項２】
前記アクセスポイントは前記基地局によってサービスを受ける１つ以上のセルを含むことを特徴とする請求項１に記載の無線通信システム。
【請求項３】
前記アクセスポイントは前記１つ以上のセルと関連付けられた１つ以上のロケーション領域を含むことを特徴とする請求項２に記載の無線通信システム。
【請求項４】
前記アクセスネットワークは第３世代のアクセスネットワークであることを特徴とする請求項１に記載の無線通信システム。
【請求項５】
前記アクセスネットワークはローカルエリアネットワークのアクセスネットワークであることを特徴とする請求項１に記載の無線通信システム。
【請求項６】
前記アクセスネットワークは無線アクセスネットワークであることを特徴とする請求項１に記載の無線通信システム。
【請求項７】
インターネットプロトコルネットワークを介して前記基地局にアクセス可能で、前記アクセスポイントの前記各ドメイン名システム名と、前記ドメイン名システム名の各インターネットプロトコルアドレスへの変換とを格納するように構成されるドメイン名システムサーバをさらに有することを特徴とする請求項１に記載の無線通信システム。
【請求項８】
前記基地局は、前記基地局に関連したオーバヘッドチャネルによる前記ドメイン名システム名を同報するように構成されていることを特徴とする請求項１に記載の無線通信システム。
【請求項９】
前記基地局は無線制御ノードと無線アクセスノードとを含むことを特徴とする請求項１に記載の無線通信システム。
【請求項１０】
無線通信システム内でアクセスポイントに対してユニバーサル識別システムを利用する方法であって、
関連した１つ以上のアクセスポイントを有するアクセスネットワークを備える工程と、
全ドメインシステムタイプの各ドメイン名システム名を前記アクセスポイントに割当てる工程と、
前記アクセスネットワーク内の基地局のカバレッジ領域の少なくとも一部により、前記アクセスネットワークと関係付けられる前記アクセスポイントの少なくとも１つと関係付けられる前記ドメイン名システム名を同報する工程を有することを特徴とする方法。
【請求項１１】
前記アクセスポイントは前記基地局によってサービスを受ける１つ以上のセルを含むことを特徴とする請求項１０に記載の方法。
【請求項１２】
前記アクセスポイントは前記１つ以上のセルと関連付けられた１つ以上のロケーション領域を含むことを特徴とする請求項１１に記載の方法。
【請求項１３】
前記アクセスポイントの前記ドメイン名システム名を各インターネットプロトコルアドレスへと変換する工程と、
ドメイン名システムサーバ内に、前記アクセスポイントの前記ドメイン名システム名と前記各関連付けられたインターネットプロトコルアドレスとを格納する工程とをさらに有することを特徴とする請求項１０に記載の方法。
【請求項１４】
前記同報する工程はさらに、前記基地局に関連したオーバヘッドチャネルにより前記ドメイン名システム名を同報することを特徴とする請求項１０に記載の方法。
【請求項１５】
無線通信システム内のロケーション領域についてユニバーサル識別システムを実現する方法であって、
全ドメインシステムタイプのドメイン名システム名を、そこに位置する移動体端末を有する前記無線通信システム内のロケーション領域に割当てる工程と、
前記移動体端末の位置をつきとめる際に用いる、前記移動体端末に関連した加入者レジスタ内に前記ドメイン名システム名を格納する工程とを有することを特徴とする方法。
【請求項１６】
前記ロケーション領域の前記ドメイン名システム名と前記ロケーション領域の前記インターネットプロトコルアドレスについての関係したインターネットプロトコルアドレスとを格納するドメイン名システムサーバに照会する工程をさらに有することを特徴とする請求項１５に記載の方法。
【請求項１７】
要求を行うノードから前記移動体端末についての経路選択情報についての要求を受信する工程と、
前記ロケーション領域と関連付けされる前記インターネットプロトコルアドレスを前記要求を行うノードに提供する工程とをさらに有することを特徴とする請求項１６に記載の方法。
【請求項１８】
無線通信システム内のロケーション領域についてユニバーサル識別システムを実現する方法であって、
移動体端末が位置するロケーション領域の全ドメインシステムタイプのドメイン名システム名を、前記移動体端末で受信する工程と、
前記受信する工程に基づいて、ロケーションの更新が実行されるべきかどうかを決定する工程と、
もし、そのように決定するなら、前記移動体端末から前記ロケーション領域の前記ドメイン名システム名を含むロケーション更新メッセージを送信する工程とを有することを特徴とする方法。
【請求項１９】
前記受信する工程はさらに、前記移動体端末が位置するセルにサービスを行う基地局により同報されるオーバヘッドチャネル内の前記ドメイン名システム名を受信することを特徴とする請求項１８に記載の方法。
【請求項２０】
前記決定する工程はさらに、
前記ロケーション領域の前記受信したドメイン名システム名と以前のロケーション領域の格納されているドメイン名システム名とを比較し、
前記受信したドメイン名システム名が前記格納されているドメイン名システム名と一致しないなら、前記送信する工程を実行することを特徴とする請求項１８に記載の方法。
【請求項２１】
無線通信システム内のセルについてユニバーサル識別システムを実現する方法であって、
移動体端末が位置するサービングセルの全ドメインシステムタイプのドメイン名システム名を、前記移動体端末で受信する工程と、
少なくとも１つの候補セルの、前記全ドメインシステムタイプのドメイン名システム名を、前記移動体端末で受信する工程と、
前記サービングセルと前記候補セルとに関連した測定を前記移動体端末において実行する工程と、
前記サービングセルから前記候補セルへの通信のハンドオフを実行するときに用いられ前記移動体端末との無線通信を行っているネットワークノードに、前記サービングセルと前記候補セルの前記ドメイン名システム名と前記測定結果とを送信する工程とを有することを特徴とする方法。
【請求項２２】
前記サービングセルは、そこに関連する第１のアクセスプロトコルタイプをもつ第１のアクセスネットワークと関連付けられ、
前記候補セルは、そこに関連する第２のアクセスプロトコルタイプをもつ第２のアクセスネットワークと関連付けられることを特徴とする請求項２１に記載の方法。
【請求項２３】
前記受信する工程はさらに、
前記サービングセルと前記候補セルとにサービスを行っている各基地局により同報される各オーバヘッドチャネル内の前記サービングセルと前記候補セルの前記ドメイン名システム名を受信することを特徴とする請求項２１に記載の方法。
【請求項２４】
無線通信システム内のセルについてユニバーサル識別システムを実現する方法であって、
サービングセルのカバレッジ領域内で、前記サービングセルの全ドメインシステムタイプのドメイン名システム名を同報する工程と、
前記サービングセルに関連した基地局において、候補セルの全ドメインシステムタイプのドメイン名システムと、前記サービングセルと前記候補セルとに関連した測定結果とを受信する工程と、
前記サービングセルと前記候補セルの前記ドメイン名システム名と、前記サービングセルと前記候補セルとについて夫々関連したインターネットプロトコルアドレスとを格納するドメイン名システムサーバに、前記サービングセルと前記候補セルの前記インターネットプロトコルアドレスについて、インターネットプロトコルネットワークを介して照会し、前記サービングセルと候補セルとに関与するハンドオフ手順を実行する工程とを有することを特徴とする方法。
【請求項２５】
前記同報する工程はさらに、
前記サービングセルのオーバヘッドチャネル内の前記ドメイン名システム名を同報することを特徴とする請求項２４に記載の方法。
【請求項２６】
前記サービングセルは、そこに関連する第１のアクセスプロトコルタイプをもつ第１のアクセスネットワークと関連付けられ、
前記候補セルは、そこに関連する第２のアクセスプロトコルタイプをもつ第２のアクセスネットワークと関連付けられることを特徴とする請求項２４に記載の方法。
【請求項２７】
前記照会する工程は、前記基地局にサービスを行う移動体交換センタノードにより実行されることを特徴とする請求項２４に記載の方法。
【請求項２８】
前記照会する工程は、前記基地局により実行されることを特徴とする請求項２４に記載の方法。
【請求項２９】
前記サービングセルと前記候補セルの前記インターネットプロトコルアドレスを用いて、前記ハンドオフ手順を実行するために、信号メッセージを、前記サービングセルに関連付けられる前記基地局と前記候補セルに関連付けられる付加的な基地局とに経路選択する工程とをさらに有することを特徴とする請求項２４に記載の方法。
【請求項３０】
無線通信システムに関連した加入者レジスタであって、
前記無線通信システム内の前記無線内の移動体端末と関連付けられる加入者データを含む加入者レコードと、
前記移動体端末の位置をつきとめる際に用いられる前記加入者レジスタ内の全ドメインシステムタイプのドメイン名システム名を格納する手段とを有し、
前記ドメイン名システム名は前記無線通信システム内のロケーション領域に割当てられ、前記移動体端末は前記ロケーション領域内に位置することを特徴とする加入者レジスタ。
【請求項３１】
前記ロケーション領域の前記ドメイン名システム名と関連するインターネットプロトコルアドレスとを格納するドメイン名システムサーバと通信を行って、前記ロケーション領域について前記インターネットプロトコルアドレスを取り出す手段をさらに有することを特徴とする請求項３０に記載の加入者レジスタ。
【請求項３２】
要求を行うノードから、前記移動体端末についての情報を経路選択する要求を受信する手段と、
前記要求を行うノードに対して、前記ロケーション領域に関連した前記インターネットプロトコルアドレスを提供する手段とをさらに有することを特徴とする請求項３１に記載の加入者レジスタ。
【請求項３３】
前記移動体端末から、前記ロケーション領域の前記ドメイン名システム名を含むロケーション更新メッセージを受信する手段をさらに有することを特徴とする請求項３０に記載の加入者レジスタ。
【発明の詳細な説明】
【技術分野】
【０００１】
本発明は一般的には通信システム内のノードの識別に関し、特に、セルラ（無線）ネットワーク内でユニークにアクセスポイントを識別するユニバーサル識別システムに関するものである。
【背景技術】
【０００２】
セルラ（無線アクセス）システム内の各ネットワークノードには通常、メッセージのルーティングと無線に関連した機能の実行とのためにユニークなアイデンティティが備えられている。さらに、各ネットワークノードは多数の地理的な領域にサービスを行っているかもしれず、それら領域各々はそれに関係した別々のアイデンティティをもっているかもしれない。例えば、アンテナの特定の地理的なカバレッジ領域に利用可能な一定の数のチャネルによって定義されるセルには通常、識別子が割当てられる。さらに、１つ以上のセルを含むロケーション領域にも通常、識別子が割当てられる。そのセル識別子やロケーション領域識別子は、そのセルとロケーション領域との内の少なくともいずれかの地理的なカバレッジ領域内にいる全ての移動体端末に対して同報され、移動手順においてその移動体端末により用いられる。
【０００３】
例えば、ロケーション領域識別子はロケーション更新手順のために用いられる一方、セル識別子はセルハンドオフ手順のために用いられる。ロケーション更新過程において、移動体端末は同報ロケーション領域識別子を用いて、その同報ロケーション領域識別子が移動体端末が登録され、その移動体端末が呼び出されたロケーション領域とは異なっているかどうかを決定する。ハンドオフ過程では、移動体端末は候補セルの同報セル識別子を用いて候補セルを探索し、適切な候補セルが選択されるとき、ネットワークはその選択された候補セルの識別子を用いて選択された候補セルと接触して無線資源の割当てとハンドオフのための準備とを行う。
【発明の開示】
【発明が解決しようとする課題】
【０００４】
しかしながら、セル識別子とロケーション領域識別子とは基本的には第３世代セルラネットワークにおける多元接続システムで用いるために特に適合してはいないシステムの具体的な解決策である。そのような第３世代セルラネットワークによりネットワークのプロバイダは移動体ユーザに異なるタイプのアクセスプロトコルを提供することを可能にしている。具体的には、第３世代セルラネットワークは論理的にインフラストラクチュアをコアネットワークとそのコアネットワークに接続された１つ以上のアクセスネットワークに分割する。基本的なコアネットワークは、移動体交換センタ（ＭＳＣ）のような回路交換ノードで構成されている。
【０００５】
基本的なアクセスネットワーク各々は、無線制御ノードと無線アクセスノードとから構成されている。一例として、無線制御ノードはＧＳＭ（汎欧州デジタル移動電話方式）無線ネットワーク用の基地局制御局（ＢＳＣ）とＵＭＴＳ（全球規模移動体通信システム）用の無線ネットワーク制御局（ＲＮＣ）であるかもしれない。さらなる例として、無線アクセスノードはＧＳＭ無線ネットワーク用の基地無線局（ＢＴＳ）とＵＭＴＳ無線ネットワークのノードＢであるかもしれない。無線アクセスノード各々は１つ以上のセルにサービスを行うことができ、１つの無線アクセスノードによりサービスを受けるセルの地理的なカバレッジ領域は別のアクセスノードによりサービスを受けるセルの地理的なカバレッジ領域とオーバラップすることができる。
【０００６】
マルチアクセス環境におけるセルとロケーション領域の識別には、ロケーション更新と異なるアクセスネットワークにおけるセル間でのハンドオフを実行するために、具体的なアクセスネットワークの識別方式各々についての知識を必要とする。例えば、移動体端末がロケーション更新が実行されるのを必要とするかどうかを決定するために、その移動体端末は、特定のロケーション領域識別子がどのアクセスネットワークに属するのかを決定できなければならず、従って、扱う方式各々が前もって明瞭にリストされ定義されていることを必要としている。加えて、アクセスネットワークを構築するために私用のアドレス範囲を用いるときには、そのネットワーク運用者は、アクセスネットワーク間でのハンドオフを実行するためにそのセル用の私用アドレスに加えて私用ネットワーク情報を提供しなければならない。アクセスネットワーク間での相互動作のためにユニバーサルな識別システムの必要性が存在する。
【課題を解決するための手段】
【０００７】
本発明は、ユニークにセルとロケーション領域を、或いはより一般的には無線アクセスネットワーク内でアクセスポイントを識別するユニバーサル識別システムを提供することである。１つの実施例において、ユニバーサル識別システムは、アクセスポイントの識別に全ドメインシステム（ＦＱＤＮ：Fully Qualified Domain Name）タイプのドメイン名システム（ＤＮＳ）名を用いる。そのシステムは１つ以上のアクセスネットワークを含み、それら各々がそれに関係付けられる１つ以上のアクセスポイントを有している。各アクセスポイントはＦＱＤＮタイプのユニークなＤＮＳ名が割当てられている。アクセスポイントのＤＮＳ  ＦＱＤＮ識別子は、そのアクセスネットワーク内の基地局のオーバヘッドチャネルで同報される。
【０００８】
さらなる実施例では、ＤＮＳサーバはＦＱＤＮ名ストリングとＤＮＳ名用の関連するインターネットプロトコル（ＩＰ）アドレスへの変換とを格納する。ネットワーク内でのメッセージは、経路選択の目的のために特定のアクセスポイントのＩＰアドレスを決定するために、その特定のアクセスポイントのＦＱＤＮ名ストリングをもつＤＮＳサーバに照会することにより、アクセスポイントからの或いはそのアクセスポイントへの経路選択が行われる。
【０００９】
１つの実施形では、ロケーション領域ＤＮＳ  ＦＱＤＮ識別子は、現在のロケーション領域を識別しロケーション更新を実行する際に、移動体端末により用いられるオーバヘッドチャネルで同報される。別の実施形では、サービングセルと隣接セルのセルＤＮＳ  ＦＱＤＮ識別子は、そのセルを識別しセル間のハンドオフを実行する際に移動体端末により用いられるセルのオーバヘッドチャネル各々で同報される。
【００１０】
都合の良いことに、ＤＮＳ  ＦＱＤＮ識別子を各アクセスポイントに割当てることにより、そのアクセスポイントでのアイデンティティを関連するアクセスネットワークの具体的に取り扱うプロトコルに係わりなく同じとすることができる。加えて、基地局の設置時に平文の名前を用い、その平文の名前に基づいてトラフィックの経路選択を行うためのアドレッシングを解決するための自動的な機構に頼ることで、基地局を構成する際の複雑さを軽減する。さらに、本発明は、上述の事項に加えて、或いは上述の事項の代わりに、別の特徴や利点を備えた実施例を提供する。これらの特徴や利点の多くは、以下に添付図面を参照した説明から明らかである。
【００１１】
開示される発明は添付図面を参照して説明するが、その図面は本発明の重要なサンプルとしての実施例を示しており、その図面は参照により明細書に組み入れられる。
【発明を実施するための最良の形態】
【００１２】
本発明の数多くの革新的な教示が、特に、代表的な実施例を参照して説明する。しかしながら、実施例のこのような段階はここでいう革新的な教示の多くの有益な使用法のわずかに２、３の例について提供しているに過ぎないことを理解されたい。一般に、明細書でなされた陳述は必ずしも種々の特許請求の範囲の記載のいずれかについての範囲を定めるものではない。さらに、いくつかの陳述は幾つかの発明の特徴には適用できるかもしれないが、他の特徴には適用するものではないかもしれない。
【００１３】
図１は、第３世代のアクセスネットワークと伝統的なアクセスネットワークの両方を含む代表的なマルチアクセスアーキテクチュアを図示したものである。ユニバーサルな陸上無線アクセスネットワーク（ＵＴＲＡＮ）１５０ａ或いはＧＳＭネットワーク１５０ｂのような第３世代アクセスネットワークが、コアネットワーク１２０に接続されている。コアネットワーク１２０では、呼制御と接続性とは、ＭＳＣから交換構造を除去し、その交換構造をメディアゲートウェイ（ＭＧＷ）３０ａに設置することにより、異なるレイヤに分離される。従って、ＭＳＣは内部的には分割されて、ＭＳＣサーバ１４とＭＧＷ３０ａとを創り出す。加えて、パケットデータサービスのために、サービング汎用パケット無線サービング（ＧＰＲＳ）サポートノード（ＳＧＳＮ）は内部的に分割され、ＳＧＳＮサーバ１６とＭＧＷ３０ｂとを創り出す。
【００１４】
ＭＧＷ３０ａと３０ｂとは第３世代アクセスネットワークとコアネットワーク１２０との間の相互動作を提供している。例えば、ＭＧＷ３０ａは、アクセスネットワーク１５０ａと１５０ｂと、公衆交換電話網（ＰＳＴＮ）１６０ａ或いは公衆陸上移動体ネットワーク（ＰＬＭＮ）１６０ｂのような外部ネットワークとの間の回路交換トラフィックを扱うインタフェースを提供している。同様に、ＭＧＷ３０ｂは、アクセスネットワーク１５０ａと１５０ｂと、インターネットプロトコル（ＩＰ）ネットワーク１６０ｃ（例えば、インターネットやイントラネット）のような外部ネットワークとの間のパケット交換トラフィックを扱うインタフェースを提供している。
【００１５】
種々の伝統的なアクセスネットワークも図１に示されている。例えば、ローカルエリアネットワーク（ＬＡＮ）アクセスネットワーク１５０ｃも有線アクセスネットワーク１５０ｄも図示されている。ＬＡＮアクセスネットワーク１５０ｃはゲートウェイ１４０を介して他の全ての外部ネットワーク（例えば、ＩＰネットワーク１６０ｃ、ＰＳＴＮ１６０ａ、ＰＬＭＮ１６０ｂ、及びコアネットワーク１２０など）に内部接続し、外部ネットワークで用いられるプロトコルとＬＡＮで用いられるプロトコルとの間での変換を行う。有線アクセスネットワーク１５０ｄはローカルスイッチ１３０を通してＰＳＴＮ１６０ａに接続される。
【００１６】
アクセスネットワーク各々１５０ａ−ｄは無線制御と無線アクセス機能の両方を提供している基地局１１０を含む。例えば、ＧＳＭアクセスネットワーク１５０ｂでは、基地局１１０は、１つ以上のセル（不図示）において無線伝送を提供する無線資源と１つ以上の基地無線局（ＢＴＳ）１１８とを取り扱う基地局制御局（ＢＳＣ）１１５を含む。別の例として、ＵＴＲＡＮアクセスネットワーク１５０ａでは、基地局１１０は、１つ以上のセルにおける無線伝送を提供する無線資源と１つ以上のノードＢ１１４とを取り扱う無線ネットワーク制御局（ＲＮＣ）１１２を含む。
【００１７】
今日、適切な移動体設備とサービスの同意があれば、移動体加入者は、ネットワーク運用者によって提供されるアクセスネットワーク１５０間で、或いは運用者による合意を適切に行っている異なるネットワーク運用者によって提供されるアクセスネットワーク１５０間で自由にローミングすることができる。例えば、移動体加入者は、ＬＡＮ領域内にある間（例えば、仕事中）ＬＡＮアクセスネットワーク１５０ｃへの、そしてそのＬＡＮの外にある時にはＧＳＭアクセスネットワーク１５０ｂへのアクセスの両方を可能にする合意をかわしていても良い。別の例として、移動体加入者は限定された領域内（例えば、自分の住居近く）にある間には有線アクセスネットワーク１５０ｄへの、そして、その限定された領域の外にある時にはＵＴＲＡＮアクセスネットワーク１５０ａへのアクセスの両方を可能にする合意をかわしていても良い。
【００１８】
さて、図２において、セル２１０やロケーション領域２００のような、（図１に示されている）種々のアクセスネットワーク１５０内のアクセスポイントの識別は伝統的には、取り扱う方式各々に前もって明瞭にリストされ定義されることを必要とする、ネットワーク固有のものであった。本発明の代表的な実施例に従えば、アクセスポイント２００と２１０とにアドレスする際の複雑さを減少させるために、ユニバーサル識別システムが用いられる。例えば、アクセスポイント２００と２１０とは、グローバルなドメイン名システム（ＤＮＳ）のドメイン階層構造内での全ドメインシステム（ＦＱＤＮ）の名称ストリングにより識別できる。それ故に、種々のアクセスポイント２００と２１０の識別とはそれが属するアクセスネットワークに係わりなく同じである。
【００１９】
図２に示される各基地局１１０は１つ以上のセル２１０にサービスを行い、それらのセル２１０の各々は、特定のロケーション領域２００に関連付けられる。例えば、基地局Ａはセル１、セル２、セル３にサービスを行い、それらの全てはロケーション領域１の中に位置している。同様に、基地局Ｂはセル４、セル５、及びセル６にサービスを行い、それらの全てもまたロケーション領域１の中に位置している。同じ基地局１１０によってサービスを受ける全てのセル２１０が同じロケーション領域２００内にいる必要はないことを理解されたい。しかしながら、説明を簡単にするために、単一のロケーション領域２００は基地局ＡとＢとによりサービスを受ける全てのセル２１０をカバーするように図示されている。基地局Ｃはセル７だけにサービスを行っており、そのセルはロケーション領域２に位置している。
【００２０】
各セル２１０はＦＱＤＮタイプのＤＮＳ名２１５が割当てられ、各ロケーション領域２００にもＦＱＤＮタイプのＤＮＳ名２１５が割当てられている。例えば、セル１、２、３には夫々、ＤＮＳ−Ａ、ＤＮＳ−Ｂ、ＤＮＳ−Ｃが割当てられ、ロケーション領域１にはＤＮＳ−Ｄが割当てられ、セル４、５、６には夫々、ＤＮＳ−Ｅ、ＤＮＳ−Ｆ、ＤＮＳ−Ｇが割当てられ、セル７にはＤＳＮ−Ｈが割当てられ、ロケーション領域２にはＤＮＳ−Ｉが割当てられている。
【００２１】
種々のシグナリングや経路選択のために、基地局１１０と他のネットワークノード（不図示）はＩＰネットワーク１６０ｃを介して、ＤＮＳサーバ２２０に接続できる。ＤＮＳサーバ２２０はアクセスポイント２００と２１０各々についてのＦＱＤＮ名ストリング２１５を、図３に示されているように、ＤＮＳ名２１５についての関連するインターネットプロトコル（ＩＰ）アドレス２２５への変換とともに格納している。各アクセスポイント２００或いは２１０の初期化時には、アクセスポイント２００或いは２１０に割当てられたＦＱＤＮ名ストリング２１５がＤＮＳサーバ２２０に登録され、そのサーバには関連するＩＰアドレス２２５が決定され格納される。例えば、プラグ・アンド・プレイのシナリオでは、一旦、基地局ユニット１１０はネットワークに装着され、１つ以上のＤＮＳサーバ名２１５が（それがサービスを行うセル２００とロケーション領域２１０とに対して）割当てられたなら、基地局１１０は、この技術分野では理解されることであるが、自動的にＦＱＤＮ名ストリング２１５を利用可能な動的ＤＮＳシグナリング手順を用いることによりＤＮＳサーバ２００へと登録できる。
【００２２】
図４はユニット識別システムの１つの実施形を図示したものである。そのシステムでは、ロケーション領域アクセスポイント２００のＤＮＳ  ＦＱＤＮ識別子は、ロケーション領域２００を識別しロケーション更新を実行する際に、移動体端末２３０により用いられるオーバヘッドチャネル２６０で基地局１１０により同報される。図５に示されるように、オーバヘッドチャネル２６０は、他の情報２６５と共に、ＦＱＤＮタイプ２１５ａのロケーション領域ＤＮＳ名を含むことができる。例えば、ＧＳＭアクセスネットワークでは、オーバヘッドチャネル２６０は、セルに関連したロケーション領域アイデンティティ（ＬＡＩ）を伴った、セルの最大出力電力のようなセル情報２６５を含む同報制御チャネル（ＢＣＣＨ）である。本発明の実施例に従えば、伝統的なＬＡＩの代わりに、ロケーション領域のＤＮＳ名２１５ａはＢＣＣＨに含まれる。
【００２３】
移動体端末２３０が位置する現在のロケーション領域のＤＮＳ名２１５ａは加入者レジスタ２４０（例えば、ホームロケーションレジスタ或いは分散加入者レジスタ）内の加入者レコード２５０に、移動体端末２３０に関連した他の加入者データ２５５とともに格納される。呼の経路選択のために、加入者レジスタ２４０はＩＰネットワーク１６０ｃを介してＤＮＳサーバ２２０にアクセスして格納されたＤＮＳ名２１５ａを（図３に示される）ロケーション領域２００用のＩＰアドレス２２５に変換する。
【００２４】
ロケーション更新手順のサンプルが図６に示されている。各基地局は、その基地局がサービスを行う各セルに関連したロケーション領域のＤＮＳ名を維持する。各セルはオーバヘッドチャネルで、そのセルを含むロケーション領域のＤＮＳ名を同報する。例えば、ロケーション領域についてのＤＮＳ名は、次の“loc-1015-stockholm.telia.se”に類似の形式をもつことができる。
【００２５】
ロケーション領域のＤＮＳ名の受信時（ステップ６００）に、移動体端末は受信ＤＮＳ名をその移動体端末が以前に登録したロケーション領域の格納されたＤＮＳ名と比較する（ステップ６１０）。もし、受信ＤＮＳ名が格納ＤＮＳ名と一致するなら（ステップ６２０）、その移動体端末は新しいロケーション領域にローミングしておらず、ロケーション更新が実行される必要はない（ステップ６３０）。しかしながら、もし受信ＤＮＳ名が格納ＤＮＳ名と一致しないなら（ステップ６２０）、その移動体端末は基地局を介してロケーション更新メッセージをその加入者レジスタに新しいロケーション領域のＤＮＳ名とともに送信することにより、その新しいロケーション領域で登録をしなければならない（ステップ６４０）。例えば、ロケーション領域“loc-1015-stockholm.telia.se”で登録するためには、移動体端末はＤＮＳ名“loc-1015-stockholm.telia.se”を含むロケーション更新メッセージを送信することができる。
【００２６】
その結果、加入者レジスタ内には“loc-1015-stockholm.telia.se”への参照が格納される。これ以後、図７に示すように、加入者レジスタがその移動体端末についての経路選択情報の要求を受信するとき（例えば、その移動体端末への到来呼がある）（ステップ７００）、加入者レジスタは、格納されたロケーション領域ＤＮＳ名に関連したＩＰアドレスについてＤＮＳサーバに照会する（ステップ７１０）。加入者レジスタはこのＩＰアドレスを要求したエンティティに戻し（ステップ７２０）、その到来呼が正しく移動体端末に向かうように経路選択される。
【００２７】
図８はユニバーサル識別システムの別の実施形を図示したものである。そのシステムでは、セルアクセスポイント２１０ａと２１０ｂとのＤＮＳ  ＦＱＤＮ識別子が、そのセル２１０ａと２１０ｂを識別しセル２１０ａと２１０ｂとの間のハンドオフを実行する際に、移動体端末２３０により用いられるオーバヘッドチャネル２６０ａと２６０ｂ各々で基地局により同報される。図９に示されるように、オーバヘッドチャネル２６０は、他の情報２６５と共に、ＦＱＤＮタイプ２１５ｂのセルＤＮＳ名を含むことができる。
【００２８】
ハンドオフは典型的には、移動体端末２３０が異なるセルによりカバーされる領域へとローミングするとき（例えば、セル２１０ａから２１０ｂへと）、或いは１つのセル（例えば、セル２１０ａ）の輻輳が他の近接セル（例えば、セル２１０ｂ）へのハンドオフを強制するときに実行される。セル２１０ａと２１０ｂとは同じ基地局によりサービスを受けることも、異なる基地局によりサービスを受けることもできるが、後者の場合について図示されている。加えて、セル２１０ａと２１０ｂとは同じアクセスネットワークに関連付けられることも、異なるアクセスネットワークに関連付けられることもできるが、後者の場合について図示されている。例えば、図８に示されているように、移動体端末２３０はＧＳＭアクセスネットワークと関連するセル２１０ａからＵＴＲＡＮアクセスネットワークと関連するセル２１０ｂにローミングしている。移動体端末２３０はＢＴＳ１１８により同報されるオーバヘッドチャネル２６０ａからＧＳＭセル２１０ａのセルＤＮＳ名と、ノードＢ１１４により同報されるオーバヘッドチャネル２６０ｂからのＵＴＲＡＮセル２１０ｂのセルＤＮＳ名とを受信する。
【００２９】
図８のセル２１０ａと２１０ｂとは異なるアクセスネットワークに関連付けられているが、ハンドオフは２つのアクセスネットワークの無線制御ノード（即ち、ＢＳＣ１１５とＲＮＳ１１２）と両方のアクセスネットワークにサービスを行うＭＳＣサーバ１４の相互作用を必要とする。しかしながら、２つのアクセスネットワークは別々のＭＳＣサーバによりサービスを受けても良く、そのハンドオフを完了するために両方のＭＳＣサーバの相互作用を必要とすることを理解されたい。ハンドオフを完了するために必要な種々のシグナリングを実行するために、ＤＮＳサーバ２２０はＩＰネットワーク１６０ｃを介してＭＳＣサーバ１４により接続され、２つのセル２１０ａと２１０ｂのＤＮＳ名に関連したＩＰアクセスを決定する。
【００３０】
図８に示されたシナリオについてのハンドオフ手順のサンプルが図１０に示されている。移動体端末がハンドオフを実行するための候補セルである各隣接セルは、そのセルについてのオーバヘッドチャネルによりＦＱＤＮタイプのセル識別子を同報する（ステップ９００）。加えて、その移動体端末は連続的にサービングセルと全ての潜在的な候補セルとの両方の信号強度と品質とを測定する（ステップ９１０）。種々の測定結果と関連するＤＮＳ名とがサービングセルの無線制御ノード（例えば、図８のＢＳＣ）に送信される（ステップ９２０）。もし、ＢＳＣが候補セルの１つがその移動体端末に対してより良い信号強度と品質とを提供できると判断するなら（ステップ９３０）、その選択された候補セルへのハンドオフが実行される。さもなければ、移動体端末は引き続き候補セルのＤＮＳ名を受信し、それら候補セルの測定を行う（ステップ９００−９２０）。
【００３１】
ハンドオフを実行するために、ＢＳＣはハンドオフに必要なメッセージをＭＳＣサーバに送信し（ステップ９４０）、ＭＳＣサーバは選択された候補セルのＩＰアドレスとサービングセルのＩＰアドレスとについてＤＮＳサーバに照会する（ステップ９５０）。ＭＳＣが関与しない他のハンドオフシナリオについて、基地局（例えば、ＢＳＣ）はその照会をＤＮＳサーバに（ＭＳＣサーバを介して）送信できることを理解されたい。サービングセルと選択された候補セルとのＩＰアドレスは、ハンドオフを実行するために、ＢＴＳとノードＢノードとの間のシグナリングのために用いられる。
【００３２】
例えば、一旦、ＭＳＣサーバが選択された候補セルのＩＰアドレスを取得したなら、ＭＳＣサーバは選択された候補セルのＩＰアドレスを含むハンドオフ要求メッセージをＲＮＳに送信する（ステップ９６０）。なお、従来のネットワークシグナリングはＲＮＳとＭＳＣサーバとの間で用いられる（このことは、ＩＰベース或いは何か別のアドレッシング方式とシグナリングプロトコルでも良い）。しかしながら、選択された候補セルのＩＰアドレスはＲＮＳにより用いられ、そのＩＰアドレスに関連したノードＢに命令を与えてトラフィックチャネルを移動体端末に割当てる（ステップ９７０）。一旦、そのトラフィックチャネルが割当てられたなら、その移動体端末は、サービングセルのＩＰアドレスを用いて新しいノードＢセルにおいて割当てられたトラフィックチャネルに関して移動体端末に情報を送信して、その新しいノードＢセルへハンドオフされる（ステップ９８０）。
【００３３】
同業者には理解されることであるが、本出願において説明した革新的な概念は広範囲な適用がなされ変形されたり、変更されたりできる。従って、発明の主題の範囲はここで検討した特定の代表的な教示のいずれかに限定されるものではなく、添付した請求の範囲によって定義されるものである。
【図面の簡単な説明】
【００３４】
【図１】代表的なマルチアクセス・ネットワーク・アーキテクチュアを図示するブロック図である。
【図２】無線アクセスネットワーク内のアクセスポイントをユニークに識別する代表的なユニバーサル識別システムを図示する機能ブロック図である。
【図３】ドメイン名サーバ（ＤＮＳ）名とインターネットプロトコル（ＩＰ）サーバとの間のマッピングを図示した代表的な表を示す図である。
【図４】本発明の代表的な実施例に従うユニバーサル識別システムの１つの実施例を図示する機能ブロック図である。
【図５】本発明の代表的な実施例に従う同報オーバヘッドチャネル内のユニバーサルロケーション領域のアイデンティティを含めた図である。
【図６】本発明のユニバーサル識別システムを用いてロケーション更新を実行する代表的な工程を図示したフローチャートである。
【図７】本発明のユニバーサル識別システムを用いて経路選択情報を取得する代表的な工程を図示したフローチャートである。
【図８】本発明の代表的な実施例に従うユニバーサル識別システムの別の実施例を図示するブロック図である。
【図９】本発明の代表的な実施例に従う同報オーバヘッドチャネル内のユニバーサルセルのアイデンティティを含めた図である。
【図１０】本発明のユニバーサル識別システムを用いてハンドオフ手順を実行する代表的な工程を図示したフローチャートである。
【図１】
2005531174.tif 000003
【図２】
2005531174.tif 000004
【図３】
2005531174.tif 000005
【図４】
2005531174.tif 000006
【図５】
2005531174.tif 000007
【図６】
2005531174.tif 000008
【図７】
2005531174.tif 000009
【図８】
2005531174.tif 000010
【図９】
2005531174.tif 000011
【図１０】
2005531174.tif 000012
【手続補正書】
【提出日】平成16年4月23日(2004.4.23)
【手続補正１】
【補正対象書類名】特許請求の範囲
【補正対象項目名】全文
【補正方法】変更
【補正の内容】
【特許請求の範囲】
【請求項１】
夫々が基地局とアクセスポイントとして指定されたカバレッジ領域とを有した複数のアクセスネットワークを含む無線通信システム内でユニバーサル識別子を実現するシステムであって、前記ユニバーサル識別子のシステムは、
ユニークなユニバーサル識別子を前記複数のアクセスネットワークにおける前記アクセスポイントに割当てる手段と、
各基地局をドメイン名システムサーバに接続するインターネットプロトコルネットワークと、
前記複数のアクセスネットワークにおける前記アクセスポイントの前記割当てられたユニバーサル識別子を格納し、割当てられたユニバーサル識別子各々に関連付けられたインターネットプロトコルアドレスを格納する前記ドメイン名システムサーバ内のデータベースとを有し、
各ユニバーサル識別子は全ドメインシステムタイプのドメイン名システム名を有し、
与えられたアクセスポイントを識別するとき、各基地局は前記ドメイン名システムサーバにアクセスし、前記与えられたアクセスポイントの前記割当てられたユニバーサル識別子を利用して、前記与えられたアクセスポイントについてのインターネットプロトコルアドレスを取り出すことを特徴とするシステム。
【請求項２】
前記アクセスポイントの前記カバレッジ領域で前記アクセスポイントに割当てられた前記ユニバーサル識別子を同報する前記基地局内の手段をさらに有することを特徴とする請求項１に記載のシステム。
【請求項３】
前記アクセスネットワークは、前記基地局によってサービスを受けるセルとして定義された複数のアクセスポイントを含むことを特徴とする請求項１に記載のシステム。
【請求項４】
前記アクセスポイントは前記１つ以上のセルと関連付けられたロケーション領域を含むことを特徴とする請求項３に記載のシステム。
【請求項５】
前記アクセスネットワークは第３世代のアクセスネットワークであることを特徴とする請求項１に記載のシステム。
【請求項６】
前記基地局は、前記基地局に関連したオーバヘッドチャネルによる前記ユニバーサル識別子を同報するように構成されていることを特徴とする請求項１に記載のシステム。
【請求項７】
夫々が基地局とアクセスポイントとして指定されたカバレッジ領域とを有した複数のアクセスネットワークを含む無線通信システム内でユニバーサル識別子を実現する方法であって、前記方法は、
ユニークなユニバーサル識別子を前記複数のアクセスネットワークにおける前記アクセスポイントに割当てる工程と、
各基地局をインターネットプロトコルネットワークを用いるドメイン名システムサーバに接続する工程と、
前記ドメイン名システムサーバ内のデータベースに、前記アクセスポイントの前記割当てられたユニバーサル識別子を格納する工程と、
前記割当てられたユニバーサル識別子を関連付けられたインターネットプロトコルアドレスに変換する工程と、
前記ドメイン名システムサーバ内の前記データベースに各割当てられたユニバーサル識別子に関連付けられた前記インターネットプロトコルアドレスを格納する工程とを有し、
各ユニバーサル識別子は全ドメインシステムタイプのドメイン名システム名を有し、
各基地局は、前記ドメイン名システムサーバにアクセスし、与えられたアクセスポイントの前記割当てられたユニバーサル識別子を利用して、前記与えられたアクセスポイントについてのインターネットプロトコルアドレスを取り出すことにより前記与えられたアクセスポイントを識別することを特徴とする方法。
【請求項８】
前記基地局により、前記アクセスポイントの前記カバレッジ領域で前記アクセスポイントに割当てられた前記ユニバーサル識別子を同報する工程をさらに有することを特徴とする請求項７に記載の方法。
【請求項９】
前記同報する工程は、前記基地局に関連したオーバヘッドチャネルにより前記ユニバーサル識別子を同報することを含むことを特徴とする請求項８に記載の方法。
【請求項１０】
前記アクセスポイントは前記基地局によってサービスを受けるセルであることを特徴とする請求項７に記載の方法。
【請求項１１】
前記アクセスポイントは前記基地局によってサービスを受けるロケーション領域であることを特徴とする請求項７に記載の方法。
【国際調査報告】
2005531174.tif 000013
2005531174.tif 000014
2005531174.tif 000015